(57)【要約】【課題】上下ハウジング間の振動を減衰し、電磁振動型ポンプの騒音を低減することができる電磁振動型ポンプの提供。【解決手段】電磁駆動部が載置される、電磁駆動部の下方に設けられる下ハウジングと、該下ハウジングに、該下ハウジングの下部から取り付けられ、下ハウジングとともに吐出タンク室を画定するタンクカバーと、下ハウジングにパッキンを介して連結され、電磁駆動部を上方から覆う合成樹脂製の上ハウジングと、上ハウジングの上方から、上ハウジングを覆うハウジングカバーとを備え、下ハウジングが、電磁駆動部と接触するタンク上壁と、該タンク上壁から下方に向って延び、タンクカバーに接触する１または２個以上の柱を設けられてなることを特徴とする。【選択図】図１
0003162419.tif 000002
【実用新案登録請求の範囲】
【請求項１】
対向して配置された一対の電磁石と、永久磁石を備えた棒状体とからなる電磁駆動部を備え、前記一対の電磁石と前記永久磁石との磁気的相互作用によって、前記棒状体の両端または一端に連結されたダイヤフラムを往復運動させる電磁振動型ダイヤフラムポンプ（１）であって、前記電磁振動型ダイヤフラムポンプ（１）が、前記電磁駆動部（Ｄ）が載置される、前記電磁駆動部（Ｄ）の下方に設けられる下ハウジング（２）と、該下ハウジング（２）に、該下ハウジング（２）の下部から取り付けられ、前記下ハウジング（２）とともに吐出タンク室（ＴＲ）を画定するタンクカバー（３）と、前記下ハウジング（２）にパッキン（Ｐ）を介して連結され、前記電磁駆動部（Ｄ）を上方から覆う合成樹脂製の上ハウジング（４）と、前記上ハウジング（４）の上方から、前記上ハウジング（４）を覆うハウジングカバー（５）とを備え、前記下ハウジング（２）が、前記電磁駆動部（Ｄ）と接触するタンク上壁（２１）と、該タンク上壁（２１）から下方に向って延び、前記タンクカバー（３）に接触する１または２個以上の柱（２２）を設けられてなることを特徴とする電磁振動型ダイヤフラムポンプ。
【請求項２】
前記上ハウジング（４）および下ハウジング（２）のそれぞれの固定部位に、ネジを取り付けるためのフランジ部（２３、４１）が設けられ、前記上ハウジング（４）のフランジ部（４１）に上方向に突出するボス部（４２）が設けられてなることを特徴とする請求項１記載の電磁振動型ダイヤフラムポンプ。
【請求項３】
前記パッキン（Ｐ）が、上ハウジング（４）と下ハウジング（２）が直接接触せず、電磁駆動部（Ｄ）により発生し、下ハウジング（２）に伝わった振動を減衰させる位置に設けられ、かつ前記パッキン（Ｐ）が、下ハウジング（２）とハウジングカバー（５）が直接接触せず、電磁振動部（Ｄ）により発生し、下ハウジング（２）に伝わった振動を減衰させる位置に設けられてなることを特徴とする請求項１または２記載の電磁振動型ダイヤフラムポンプ。
【請求項４】
前記電磁駆動部（Ｄ）が、前記一対の電磁石および前記棒状体を収容し、上部が開口した筐体（６）を備え、前記電磁駆動部（Ｄ）が、前記筐体（６）の対向する上縁（６１、６２）に係止部（７１、７２）を介して係止され、前記棒状体の異常を検知する検知手段（７）をさらに備え、前記筐体（６）の上部開口部が、カバーパッキン（８）を介して電磁駆動部上部カバー（９）により封止され、前記カバーパッキン（８）が、前記カバーパッキン（８）と前記検知手段の係止部（７１、７２）との接触位置において、前記係止部との非接触位置よりも厚肉にされた厚肉部（８１）を備えてなる、かつ前記カバーパッキン（８）が、前記筐体（６）とカバーパッキン（８）との合わせ面に厚肉部（８２）を備えてなることを特徴とする請求項１〜３のいずれかに記載の電磁振動型ダイヤフラムポンプ。
【考案の詳細な説明】
【技術分野】
【０００１】
本考案は、電磁振動型エアーポンプに関する。さらに詳しくは、ダイヤフラムに連結された永久磁石付振動子と、該振動子を挟んで設けられた２個の電磁石との磁気的相互作用によって往復運動させ、ダイヤフラムを駆動させ流体を吸引し、吐出する電磁振動型エアーポンプに関する。本考案のエアーポンプは、主に屋内外で使用され、養魚、家庭用浄化槽などに利用される。
【背景技術】
【０００２】
従来の電磁振動型ポンプは電磁駆動部から発生する騒音、振動を小さくする為、電磁駆動部を囲っている部材の肉厚を大きくしたり、金属材料を使い騒音対策を講じている。また振動する箇所はネジ止めにより、振動、騒音を小さくする対策を講じている。
【０００３】
しかしながら、周知の電磁振動型ポンプは、電磁石や永久磁石が設けられた振動子として機能する棒状体を取り囲む上下のハウジングをネジで締結することにより組み立てられ、このようなネジで直接上下のハウジングを組み付けるエアーポンプは、下ハウジングと上ハウジングとの接触部位から、振動が直接伝わり、騒音を発生させていた。
【０００４】
また、周知の電磁振動型ポンプは、電磁石や振動子が設けられた電磁駆動部が振動することにより、振動が電磁駆動部から、電磁駆動部の下部に設けられた吐出タンク部に伝わり、騒音を発生させていた（特許文献１参照）。
【０００５】
また、上ハウジングを覆うハウジングカバーの長手距離が長いと、挟み込んだパッキンが完全に押さえきれず振動でビビリ音を発生させ、ビビリ音の発生を抑える為にはネジ止め作業が必要であった。
【先行技術文献】
【特許文献】
【０００６】
【特許文献１】特開２００２−３７１９６８号公報
【考案の開示】
【考案が解決しようとする課題】
【０００７】
そこで、本考案はかかる事情に鑑みて、上下ハウジング間の振動を減衰し、電磁振動型ポンプの騒音を低減することができる電磁振動型ポンプの提供を目的とする。また、電磁コイルや振動子が設けられた電磁駆動部の下部に設けられた下ハウジングのタンク上壁に伝わった振動を小さくし、電磁振動型ポンプの騒音を低減させることができる電磁振動型ポンプの提供を目的とする。
【課題を解決するための手段】
【０００８】
本考案の電磁振動型ダイヤフラムポンプは、対向して配置された一対の電磁石と、永久磁石を備えた棒状体とからなる電磁駆動部を備え、前記一対の電磁石と前記永久磁石との磁気的相互作用によって、前記棒状体の両端または一端に連結されたダイヤフラムを往復運動させる電磁振動型ダイヤフラムポンプ１であって、前記電磁振動型ダイヤフラムポンプ１が、前記電磁駆動部Ｄが載置される、前記電磁駆動部Ｄの下方に設けられる下ハウジング２と、該下ハウジング２に、該下ハウジング２の下部から取り付けられ、前記下ハウジング２とともに吐出タンク室ＴＲを画定するタンクカバー３と、前記下ハウジング２にパッキンＰを介して連結され、前記電磁駆動部Ｄを上方から覆う合成樹脂製の上ハウジング４と、前記上ハウジング４の上方から、前記上ハウジング４を覆うハウジングカバー５とを備え、前記下ハウジング２が、前記電磁駆動部Ｄと接触するタンク上壁２１と、該タンク上壁２１から下方に向って延び、前記タンクカバー３に接触する１または２個以上の柱２２を設けられてなることを特徴とする。
【０００９】
また、前記上ハウジング４および下ハウジング２のそれぞれの固定部位に、ネジを取り付けるためのフランジ部２３、４１が設けられ、前記上ハウジング４のフランジ部４１に上方向に突出するボス部４２が設けられてなることが好ましい。
【００１０】
また、前記パッキンＰが、上ハウジング４と下ハウジング２が直接接触せず、電磁駆動部Ｄにより発生し、下ハウジング２に伝わった振動を減衰させる位置に設けられ、かつ前記パッキンＰが、下ハウジング２から上ハウジング４へ、上ハウジング４からハウジングカバー５に伝わった振動を、ハウジングカバー５をパッキンＰに接触させ、振動を減衰させる位置に設けられてなることが好ましい。
【００１１】
また、前記電磁駆動部Ｄが、前記一対の電磁石および前記棒状体を収容し、上部が開口した筐体６を備え、前記電磁駆動部Ｄが、前記筐体６の対向する上縁６１、６２に係止部７１、７２を介して係止され、前記棒状体の異常を検知する検知手段７をさらに備え、前記筐体６の上部開口部が、カバーパッキン８を介して電磁駆動部上部カバー９により封止され、前記カバーパッキン８が、前記カバーパッキン８と前記検知手段の係止部７１、７２との接触位置において、前記係止部との非接触位置よりも厚肉にされた厚肉部８１を備え、かつ前記カバーパッキン８が、前記筐体６とカバーパッキン８との合わせ面に厚肉部８２を備えてなることが好ましい。
【考案の効果】
【００１２】
本考案の電磁振動型ポンプによれば、上下ハウジングを固定するネジを伝った下ハウジングから上ハウジングへの振動は、上ハウジングのネジが取り付けられる位置にボスを設けることにより、ボスの材質である樹脂の特性により振動は減衰する。これにより上ハウジングの振動を小さくすることができ、そのことにより電磁振動型ポンプの騒音を低減することができる。
【００１３】
また、下ハウジングのタンク上壁に伝わった振動は、下ハウジングに柱を設けることにより振動共振点を変え、下ハウジングの振動を小さくすることができ、そのことにより電磁振動型ポンプの騒音を低減させることができる。
【００１４】
また、上下ハウジングが直接触れないように上下ハウジングの間にパッキンを設けることにより、下ハウジングの振動はパッキンで減衰され上ハウジングへ伝わらない。またハウジングカバーもパッキンを介して上ハウジングと接触させることにより、ハウジングカバーの振動が小さくなり、電磁振動型ポンプの騒音を低減させることができる。
【００１５】
また、パッキンの肉厚を変化させることにより、浮き上がり部分を強制的に押さえることができ、ネジ止めの作業を省略できるとともに、電磁振動型ポンプの振動（ビビリ音）をなくすことができる。
【図面の簡単な説明】
【００１６】
【図１】本考案の電磁振動型ポンプの断面図である。
【図２】本考案の電磁振動型ポンプの断面図である。
【図３ａ】本考案の電磁振動型ポンプに用いられるパッキンを説明するための説明図である。
【図３ｂ】本考案の電磁振動型ポンプに用いられるパッキンを説明するための説明図である。
【図４】本考案の電磁振動型ポンプの電磁駆動部を説明するための説明図である。
【考案を実施するための形態】
【００１７】
以下、添付図面を参照し、本考案の電磁振動型ポンプを詳細に説明する。
【００１８】
図１および２に示されるように、本考案の電磁振動型ポンプ１は、互いに対向して配置された一対の電磁石（図示せず）と、永久磁石を備えた棒状体（図示せず）とからなる前述の周知の電磁振動型ポンプを構成している電磁駆動部Ｄを備えている。電磁振動型ポンプ１は、電磁駆動部Ｄに設けられた、一対の電磁石と前記永久磁石との磁気的相互作用によって、棒状体の両端または一端に連結されたダイヤフラムを往復運動させ、電磁振動型ポンプ１の外部から吸入した空気を吐出する。
【００１９】
図１および２に示されるように、電磁駆動部Ｄは、電磁石や棒状体を収納する筐体６を備えており、筐体６の底部は、下ハウジング２の上部側のタンク上壁２１とクッションゴム１０を介して接している。下ハウジング２のタンク上壁２１と対向する位置には、タンクカバー３が設けられ、下ハウジング２にネジなどの固着手段Ｓにより固着され、下ハウジング２とタンクカバー３とにより、吐出タンク室ＴＲを画定している。
【００２０】
また、図１および２に示されるように、下ハウジング２のタンク上壁２１からは、図１および２中下方向に延び、タンクカバー３に接触する柱２２が設けられている。当該柱２２が１または２個以上設けられ、タンクカバー３によって柱２２をタンク上壁２１側へ押さえつけ密接させることにより、振動共振点が変わり、電磁駆動部Ｄで発生し、タンク上壁２１に伝わる振動は柱２２によって減少してタンクカバー３へ伝わる為、電磁振動型ポンプ１の振動が減少し、騒音を低減させることが出来る。
【００２１】
柱２２としては、図１および２に示されるように、円柱状の柱とすることができるが、多角形または円筒形の形状であっても構わない。
【００２２】
また、柱２２は、タンク内側上面面積×０．２程度の面積であることが好ましい。
【００２３】
柱２２の材質は、合成樹脂であることが振動を減衰させるという理由から好ましい。
【００２４】
また、電磁振動型ポンプ１は、図１および２に示されるように、下ハウジング２にクッションゴム１０を介して載置され、下ハウジング２とともに電磁駆動部Ｄを覆う上ハウジング４が設けられている。上ハウジング４は、図１〜３に示されるように、パッキンＰを介して下ハウジング２に固定されている。パッキンＰが、図３（ａ）および（ｂ）に示されるように、下ハウジング２と上ハウジング４との固定部位全面に亘って設けられていることにより、上ハウジング４と下ハウジング２とが直接接触しないので、電磁駆動部Ｄにより発生し、下ハウジング２に伝わった振動が、上ハウジング４に直接伝わらず、パッキンＰにより振動が減衰されてから上ハウジング４側に伝わるので、電磁振動型ポンプ１の振動を小さくすることができ、騒音を小さくすることができる。
【００２５】
パッキンＰの材質としては、合成ゴムが好適に採用される。
【００２６】
また、上ハウジング４と下ハウジング２とは、上ハウジング４および下ハウジング２に設けられたフランジ部２３、４１において、公知の固着手段であるネジＳとナットＮなどによって固定される。上ハウジング４は、合成樹脂製であり、たとえば、ＡＢＳ樹脂が好適に採用される。
【００２７】
上ハウジング４のフランジ部４１からは、上方向に突出するボス部４２が設けられている。上方向に突出するボス部４２は、ネジＳなどの固着手段が挿通される孔が、ネジＳの長手方向に沿って上方向に延びており、ネジを伝わった振動は、合成樹脂製のボス部４２において、振動が伝わる距離が長くなるので、合成樹脂の特性により振動が減衰し、電磁駆動部Ｄで発生し、下ハウジング２に伝わった振動が、ネジＳにより上ハウジング４に伝達されにくくなり、電磁振動型ポンプ１の振動を小さくすることができ、騒音を小さくすることができる。
【００２８】
また、電磁振動型ポンプ１は、上ハウジング４の上方から、上ハウジング４を覆うハウジングカバー５をさらに備えている。ハウジングカバー５と下ハウジング２との間には、パッキンＰが介装されている。パッキンＰは、図３（ａ）および（ｂ）に示されるように、下ハウジング２の上縁を覆っているので、ハウジングカバー５と下ハウジング２とが直接接触せず、電磁駆動部Ｄで発生し、下ハウジング２に伝わった振動が、ハウジングカバー５に直接伝わらず、パッキンＰにより振動が減衰されてからハウジングカバー５側に伝わるので、電磁振動型ポンプ１の振動を小さくすることができ、騒音を小さくすることができる。
【００２９】
また、ハウジングカバー５と上ハウジング４との接触部位には、図２に示すように、パッキンＰ２を介装され、上ハウジング４から、ハウジングカバー５に伝わる振動をさらに減衰することができる。
【００３０】
電磁駆動部Ｄは図４に示されるように、一対の電磁石や棒状体が収容され、上部が開口した筐体６を備えている。図４に示されるように、電磁駆動部Ｄ内の振動子の異常振動を検知する検知手段７が設けられている。検知手段７は、図４に示されるように、筐体６の対向する上縁６１、６２に、係止部７１、７２により係止されている。筐体６の上部の開口部は、図４に示されるように、上部からカバーパッキン８を介して電磁駆動部Ｄ上部カバー９が被せられ、ネジなどの公知の固着手段により封止される。
【００３１】
カバーパッキン８は、検知手段７の係止部７１、７２が係止される位置、すなわち、カバーパッキン８と前記検知手段７の係止部７１、７２との接触位置において、係止部７１、７２との非接触位置よりも厚肉にされた厚肉部８１および筐体６に接触する面に厚肉部８２が形成されている。
【００３２】
カバーパッキン８の厚肉部８１により、厚肉部８１が係止部７１、７２を強く押圧するので、検知手段７の固定にネジを用いずとも、検知手段７を固定することができる。したがって、カバーパッキン８と筐体６の上縁６１、６２とに挟み込まれた係止部７１、７２が完全に押さえきれないことに起因する、係止部７１、７２の振動によるビビリ音を防止することができる。また、筐体６とカバーパッキン８との合わせ面も、厚肉部８２で押さえる為、筐体６から伝わった振動によるビビリ音を防止することが出来る。
【符号の説明】
【００３３】
１  電磁振動型ダイヤフラムポンプ（電磁振動型ポンプ）
２  下ハウジング
２１  タンク上壁
２２  柱
２３、４１  フランジ部
３  タンクカバー
４  上ハウジング
４２  ボス部
５  ハウジングカバー
６  筐体
７  検知手段
７１、７２  係止部
８  カバーパッキン
８１、８２  厚肉部
Ｄ  電磁駆動部
Ｐ、Ｐ２  パッキン
ＴＲ  吐出タンク室
９  カバー
１０  クッションゴム
【図１】
0003162419.tif 000003
【図２】
0003162419.tif 000004
【図３ａ】
0003162419.tif 000005
【図３ｂ】
0003162419.tif 000006
【図４】
0003162419.tif 000007